(57)【特許請求の範囲】
【請求項１】
集合住宅内に互いに一体に設けられた多数の宅配物収納用の収納室、
前記収納室の扉に設けられた電子解錠可能な錠手段、
荷物収納者を識別するための収納者識別信号、荷物取り出し者を指定するための取り出し者指定信号、並びに、収納すべき前記荷物の種類を特定するための荷物種類特定信号を含む入庫データを入力するための入庫データ入力手段、
各前記収納室とそれらが受け入れる荷物の種類との関係を記憶する収納室使用モード記憶手段、
入力された前記荷物種類特定信号及び前記関係に基づいて選択された所定の前記収納室を解錠する収納時解錠手段、
前記収納時解錠手段により解錠された前記収納室へ荷物が収納された後、前記荷物が収納された前記収納室の室番号と前記取り出し者指定信号とを含む出庫データを記憶する出庫データ記憶手段、
荷物取り出し者を識別するための取り出し者識別信号の入力により、前記出庫データにしたがって該当する前記収納室の錠部を解錠する取り出し時解錠手段、及び、
前記収納室使用モード記憶手段が記憶する前記収納室とそれらが受け入れる荷物の種類との前記関係を変更する収納室使用モード変更手段、
を備えることを特徴とする共用ロッカー式宅配ボックス。
【請求項２】
請求項１記載の共用ロッカー式宅配ボックスにおいて、
前記収納時解錠手段は、前記荷物種類特定信号により特定される荷物の種類に対応する前記収納室が一杯である場合に、前記収納室使用モード記憶手段により設定される所定の前記収納室以外の前記収納室を解錠することを特徴とする共用ロッカー式宅配ボックス。
【請求項３】
請求項１又は２記載の共用ロッカー式宅配ボックスにおいて、
前記収納室使用モード記憶手段は、少なくともクリーニング業者へ出す洗濯物を含む汚れ品を収納するために設定された汚れ品用収納室の室番号を記憶することを特徴とする共用ロッカー式宅配ボックス。
【請求項４】
請求項１又は２記載の共用ロッカー式宅配ボックスにおいて、
前記収納室使用モード記憶手段は、少なくとも食品を収納するために設定された食品用収納室の室番号を記憶することを特徴とする共用ロッカー式宅配ボックス。
【請求項５】
請求項３又は４記載の共用ロッカー式宅配ボックスにおいて、
各前記収納室は殺菌脱臭装置を内蔵し、
前記使用モード記憶手段は、上記汚れ品用収納室または食品用収納室の前記殺菌脱臭装置を選択的に稼動させることを特徴とする共用ロッカー式宅配ボックス。
【発明の詳細な説明】
【０００１】
【発明の属する技術分野】
本発明は、マンションなどの玄関ホールに設けられる共用ロッカー式宅配ボックスに関する。
【０００２】
【従来の技術】
マンションなどの集合住宅では、収納品収納用の多数の鍵付き収納室をもつ宅配ボックスを玄関ホールに設けることが一般的となっている。
【０００３】
【発明が解決しようとする課題】
上述した従来の共用ロッカー式宅配ボックスでは、宅配ボックスの各収納室は、居住者により経時に共同利用されるため、前に収納された荷物によっては、後でそれを使用する居住者に不快感を与える場合があった。
たとえば、居住者によっては、汚れた洗濯物などをきちんと密封することなく、宅配ボックスの収納室に入れる可能性があり、これを見たり、汗臭さを感じたりすると、次の使用者がその続いての使用を躊躇する可能性があった。
【０００４】
また、前の使用者が腐敗しやすい食品を保管していたりすると、次に使用者が臭いを感じて不快感をもったりする可能性があった。  もちろん、多数の収納室の一部をこれら汚れた洗濯物の収納用または食品収納のための専用収納室とすることもできるが、たとえば、集合住宅の居住者の構成や立地環境の差に起因して、ある集合住宅ではこれらの専用収納室の使用が少なく、他の集合住宅ではこれらの専用収納室の使用が非常に多いといったばらつきがあった。このようなばらつきがあると、ある集合住宅の宅配ボックスでは、これら専用収納室が余って収納室の有効利用ができず、その他の集合住宅では専用収納室が不足して上記物品が一般の収納室に収容されて上述した不快感発生を招くといった不具合を生じてしまう。
【０００５】
本発明は上記問題点に鑑みなされたものであり、使い勝手の悪化を回避しつつ使用者が不快感をもつことを抑止可能な共用ロッカー式宅配ボックスを提供することを、目的としている。
【０００６】
【課題を解決するための手段】
請求項１に記載した本発明の共用ロッカー式宅配ボックスの構成によれば、宅配ボックスの各収納室の収納すべき荷物の種類を記憶し、かつ、収納者が荷物の収納に際してそれを認識できるように表示するように構成し、更に、宅配ボックスの各収納室の収納すべき荷物の種類を変更する手段を設けて、状況に応じて最適な数の専用収納室を設定する。
【０００７】
したがって、本構成では、各集合住宅における宅配ボックスの汚れた洗濯物や食品などの他の荷物と分別収納することが好ましい収納品（以下、専用収納品ともいう）の量すなわち使用頻度に応じて最適な数の専用収納室を設定することができ、使い勝手の低下を回避しつつ、利用者の不快感を抑止することができ、かつ、衛生環境も向上することができる。
【０００８】
請求項２記載の構成によれば、請求項１記載の共用ロッカー式宅配ボックスにおいて更に、荷物種類特定信号により特定される荷物（専用収納品）を収納すべき専用収納室が満室である場合に、専用収納品以外の収納品（一般収納品）を収納する収納室（一般収納室ともいう）の使用を許可する。
このよいうにすれば、専用収納室が満室の場合に限り、一般収納室に専用収納品を収納するので、不快感の増大を抑止しつつ使い勝手を向上することができる。
【０００９】
請求項３記載の構成によれば請求項１又は２記載の共用ロッカー式宅配ボックスにおいて更に、上記専用収納室としてクリーニング業者へ出す洗濯物を含む汚れ品を収納するために設定された汚れ品用収納室を含む。
このようにすれば、汚れた収納品を特定の専用収納室で集中的に収納することができるので、他の一般収納室の汚れや不快感を抑止することができる。
【００１０】
請求項４記載の構成によれば請求項１又は２記載の共用ロッカー式宅配ボックスにおいて更に、上記専用収納室として食品を収納するために設定された食品用収納室を含む。
このようにすれば、臭いがきつかったり、腐敗し易い食品を特定の専用収納室で集中的に収納することができるので、他の一般収納室に臭いが残って次の使用者が不快感を感じるのを抑止することができる。
【００１１】
請求項５記載の構成によれば請求項３又は４記載の共用ロッカー式宅配ボックスにおいて更に、収納室に殺菌脱臭装置を設け、専用収納室として使われる収納室の殺菌脱臭装置を選択的に稼動させる。このようにすれば、汚れ品用収納室や食品用収納室からなる専用収納室内に細菌が繁殖するのを防止し、かつ、内部の臭いを分解することができる。
【００１２】
なお、このような殺菌脱臭装置としては紫外線放射式のものやオゾン吹き込み方式のものが周知であるが、一般収納室ではそれを用いずに、専用収納室として設定された収納室でのみ運用する本構成によれば、一般収納室内の収納物、たとえば紙などを黄変させたりするなどの不具合を防止することができる。
【００１３】
【発明を実施するための態様】
本発明の共用ロッカー式宅配ボックスの好適な態様を以下の実施例を参照して説明する。
【００１４】
【実施例１】
実施例１を図面を参照して以下に説明する。
この実施例の共用ロッカー式宅配ボックス１の正面図を図１に示し、そのブロック回路図を図２に示す。
この宅配ボックス１は、マンションの玄関ホールの壁面に埋め込まれており、表面パネル１のみがホールに向けて露出されている。Ｎｏ．１〜Ｎｏ．１０はそれぞれ各種大きさの収納室である。
【００１５】
２は制御パネルであって、制御パネル２には、カードリーダ３、キー入力パネル４、ＴＶモニタ５が配置されており、制御パネル２内には、ＴＶ放送装置（本発明でいうＴＶ情報発信手段）６、コントローラ７、電話線接続装置（たとえばモデム）８が収容されている。９は各収納室Ｎｏ．１〜Ｎｏ．１０の扉である。
ＴＶ放送装置６は、コントローラ７とＴＶ電波共同受信網２１の同軸ケーブルとを接続しており、コンピュータ構成のデータ処理、制御装置であるコントローラ７から出力されたデータを表示する画像をＮＴＳＣ形式のＴＶ信号に変換し、更にこのＴＶ信号をこのＴＶ電波共同受信網２１の空きＴＶチャンネル周波数帯域のＴＶ放送信号に変換してＴＶ電波共同受信網２１の同軸ケーブルへ出力している。したがって、各室の居住者は、自己のＴＶ受像機をオンし、この空きチャンネルを選択するだけで、コントローラ７から出力された画像データを見ることができる。
【００１６】
コントローラ７は、各収納室Ｎｏ．１〜Ｎｏ．１０ごとにそれぞれ設けられたマイコン内蔵のローカルコントローラ１１〜２０にシリアルバス２１を通じてデータ授受可能に接続されている。
電話線接続装置８は、たとえば双方向モデムなどからなり、公衆電話回線を通じて遠隔の宅配ボックス管理センター１０とコントローラ７とをデータ授受可能に接続している。
【００１７】
マイコン内蔵の各ローカルコントローラ１１〜２０は、それぞれ、電子操作可能な錠部３１、在荷表示ランプ３２、閉扉センサ３３、殺菌脱臭装置３４に接続されており、これら錠部３１、在荷表示ランプ３２及び閉扉センサ３３は、図示省略するものの収納室Ｎｏ．１〜Ｎｏ．１０の各扉９に設けられている。
殺菌脱臭装置３４は、公知の紫外線ランプであり、各収納室内の殺菌、脱臭を行うが、オゾン発生装置であってもよい。
【００１８】
なお、カードリーダ３、キー入力パネル４、ＴＶモニタ５などは周知の装置であり、コントローラ７及びローカルコントローラ１１〜２０も周知のマイコン装置であり、詳しい構成説明については記載を省略する。
以下、上記宅配ボックスの荷物受け渡し動作について、コントローラ７により実行される図３〜図５のフローチャートに基づいて以下に説明する。
【００１９】
（初期画面）
コントローラ７は、電源オンにより初期設定を実行し、「カードを入れてください」という初期画面表示をＴＶモニタ５に出力する（ｓ１００）。なお、この時、コントローラ７は荷物が在室する収納室の番号と収納者の識別番号と取り出し者の識別番号とを内蔵の収納室在荷表に記憶し、かつ、ローカルコントローラ１１は荷物が在室する収納室の在荷表示ランプ３２を点灯する。
（専用収納室設定）
次に、各収納室Ｎｏ．１〜Ｎｏ．１０のうちの所望の収納室の汚れ品用収納室ａ、食品用収納室ｂ、一般収納室ｃに設定するための設定動作について以下に説明する。
【００２０】
まず、内蔵のメモリに記憶する宅配ボックス管理センター１０からの送信データを判定して、それが専用収納室の設定変更を要求しているかどうかを判定し、要求していなければメインルーチンにリターンし、要求していれば、更に、宅配ボックス管理センター１０からの送信データのうちの、収納室設定表を読み込み、内蔵のメモリに記憶されている既存の収納室設定表を書き換える（ｓ１０１２）。
【００２１】
この収納室設定表は、各収納室Ｎｏ．１〜Ｎｏ．１０の収容すべき収納品の種類を指定する表であり、たとえば図７に示すようになっている。ａは汚れ品用収納室、ｂは食品用収納室）、ｃは一般収納室を意味する。
（操作者の識別）
カードリーダ３に磁気カードが差し込まれるまで待機し（ｓ１０２）、磁気カードが差し込まれた場合には差し込まれたカ−ドの識別信号を解読し、自己のメモリに登録されている業者又は居住者の識別番号であればｓ１０８へ進み、そうでなければ「カードが間違っています。カードを返却します」との警告表示をＴＶモニタ５に出力して、ｓ１２０へ進む。
（収納品取り出し操作）
ｓ１０８による収納品取り出し操作について図４のサブルーチンを参照して以下に説明する。
【００２２】
まず、ｓ１０８２で、このカード挿入者を宛て先とする収納品があるかどうかを判別し、なければ、「収納品がない」ことをＴＶモニタ５に２秒間表示して（ｓ１１０８４）、ｓ１１２に進む。
一方、このカード挿入者を宛て先とする収納品があれば、その収納室番号をＴＶモニタ５に表示し、該当する収納室の在荷表示ランプ３２を点滅させ、該当する収納室を解錠し（ｓ１０８６）、ｓ１０８８に進む。
【００２３】
ｓ１０８８では、閉扉センサ３３の出力を判定して、該当するすべての収納室の扉９が、開かれた後、所定期間後、再び閉鎖されたかどうか（収納品取り出しがなされたかどうか）を判定して、それがなされるまで待機し、それがなされればｓ１０９０へ進んで、該当する扉９を再び施錠し、在荷表示ランプ３２を消灯し、内蔵の収納室在荷表のうちの上記荷物を取り出した収納室に空きを書き込む。これにより、この操作者の取り出し操作が終了する。
【００２４】
次に、この空きとなった収納室が専用収納室であるかどうかを前述の収納室設定表から読み出し（ｓ１０９２）、そうであれば、この収納室の内部の紫外線ランプ３４を消灯し（ｓ１０９４）、メインルーチンにリターンして、次の収納品収納操作（ｓ１１２）を実行する。
（収納品収納操作）
ｓ１１２による収納品収納操作について図５のサブルーチンを参照して以下に説明する。
【００２５】
まず、コントローラ７はＴＶモニタ５に「荷物収納を行うかどうか」を尋ねる画面を表示し、操作者からのキー入力により収納すべき荷物があるかどうかを判定する（ｓ１１２２）。なお、操作者は、荷物収納を行う場合にはキー入力パネル４で「１」キーを押し、行わない場合は、「０」キーを押し、荷物収納を行わない場合にはＳ１２０に進む。
【００２６】
ｓ１１２２にて、業者が荷物収納を行うと入力した場合には、ＴＶモニタ５により収納する物品のサイズと種類とをを尋ねる画面をＴＶモニタ５に表示し、操作者は、収納すべき荷物のサイズにより、大収納室（ここでは収納室Ｎｏ．１をいう）、中収納室（ここでは収納室Ｎｏ．２〜Ｎｏ．５をいう）、小収納室（ここでは収納室Ｎｏ．６〜Ｎｏ．１０をいう）のどれか選択し、更に、荷物の種類を選択する。ここで、荷物は、汚れた洗濯物ａと食品ｂと一般品ｃとに分類される。  コントローラ７は、入力された収納すべき荷物のサイズと種類とにより最適な収納室を選択し、もし条件が完全に合致する収納室がなければ、最低サイズだけは合致する収納室を探し、それでも合致する収納室がなければ、より大きいサイズの収納室を探す（ｓ１１２４）。
【００２７】
選択がなされると、コントローラ７は、選択されたサイズの収納室の空き状態を調べ（ｓ１１２６）、空きがあればｓ１１２８へ進み、空きがなければ、それよりも容積が大きい収納室の空き状態を調べ、空きがあればｓ１１２８へ進む。一方、空きがなければ、「空きがありません。カードを返却します」との警告表示をＴＶモニタ５に出力して（ｓ１１３１）、ｓ１２０へ進む。
【００２８】
ｓ１１２８では、ｓ１１２６で選択された空きの収納室を解錠し、ＴＶモニタ５に解錠した収納室の番号を表示するとともに該当する収納室の在荷表示ランプ３２を点滅させる。
その後、閉扉センサ３３の出力を判定して、解錠された収納室の扉９が実際に開かれた後、所定期間後、再び閉鎖されたかどうか（荷物の収納がなされたかどうか）を判定して（ｓ１１３０）、それがなされるまで待機し、それがなされれば、この扉９を再び施錠すし、該当する収納室の在荷表示ランプ３２を点灯する（ｓ１１３２）。
【００２９】
次に、コントローラ７はＴＶモニタ５に受け取り者を指定する表を出力し（ｓ１１３４）、操作者がそれから一つを選ぶまで待機し（ｓ１１３６）、選んだならその識別番号を収納室在荷表に書き込ぶ（ｓ１１３８）。
次に、新しく荷物を収納した収納室が汚れ品用収納室又は食品用収納室すなわち専用収納室かどうかを前述の収納室設定表から読み込み（ｓ１１４０）、専用収納室であれば、その収納室の紫外線ランプ３４を点灯して（ｓ１１４２）、ｓ１１４へリターンする。
【００３０】
なお、操作者のカードが居住者カードであれば、受け取り者を指定する上記表は、業者一覧表であり、操作者のカードが業者カードであれば、受け取り者を指定する上記表は、居住者の室番号一覧表であることはいうまでもない。
これにより、収納すべき収納室への荷物の収納操作が終了するので、ｓ１１４へリターンする。
【００３１】
ｓ１１４では、コントローラ７はこの操作者に、「まだ収納すべき荷物があるかどうか」を尋ねる画面をＴＶモニタ５に出力し、操作者がキー入力パネル４により、「ある」と返事すればｓ１１２に戻り、「ない」と返事すれば、ｓ１２０へ進む。
（カード抜き取り）
ｓ１２０では、「カードを返却します。」の警告表示をＴＶモニタ５に出力して、カードを返却し、カードリーダ３からカードが抜かれるまで待機し（ｓ１２２）、抜かれたら初期画面を表示して（ｓ１２４）、抜かれたら、ｓ１０２へリターンする。
【図面の簡単な説明】
【図１】本発明の共用ロッカー式宅配ボックスの正面図である。
【図２】図１に示す共用ロッカー式宅配ボックスのブロック回路図である。
【図３】図２に示すコントローラ７の荷物受け渡し動作を示すフローチャートである。
【図４】図３に示す荷物取り出しサブルーチンを示すフローチャートである。
【図５】図３に示す荷物収納サブルーチンを示すフローチャートである。
【図６】専用収納室設定サブルーチンを示すフロ−チャ−トである。
【図７】図７は収納室設定表である。
【符号の説明】
３はカードリーダ、４はキー入力パネル、５はＴＶモニタ、６はＴＶ放送装置（本発明でいうＴＶ情報発信手段）、７はコントローラ、９は収納室、１０は宅配ボックス管理センター、Ｎｏ．１〜Ｎｏ．１０は収納室、３１は錠部（錠手段）。
ｓ１０４は荷物収納者を識別するための収納者識別信号（カード）を認識する入庫データ入力手段、
ｓ１１３４、ｓ１１３６は荷物取り出し者を指定するための取り出し者指定信号を認識する入庫データ入力手段、
ｓ１１２４は収納すべき前記荷物の種類を特定するための荷物種類特定信号を認識する入庫データ入力手段、
ｓ１０１は各前記収納室とそれらが受け入れる荷物の種類との関係を記憶する収納室使用モード記憶手段、
ｓ１１２８は入力された前記荷物種類特定信号及び前記関係に基づいて選択された所定の前記収納室を解錠する収納時解錠手段、
ｓ１１３８は収納時解錠手段により解錠された収納室へ荷物が収納された後、荷物が収納された収納室の室番号と取り出し者指定信号とを含む出庫データを記憶する出庫データ記憶手段、
ｓ１０８６は荷物取り出し者を識別するための取り出し者識別信号の入力により、出庫データにしたがって該当する収納室の錠部を解錠する取り出し時解錠手段、
ｓ１０１は収納室使用モード記憶手段が記憶する収納室とそれらが受け入れる荷物の種類との関係を変更する収納室使用モード変更手段。
【図１】
0003618215.tif 000002
【図２】
0003618215.tif 000003
【図３】
0003618215.tif 000004
【図４】
0003618215.tif 000005
【図５】
0003618215.tif 000006
【図６】
0003618215.tif 000007
【図７】
0003618215.tif 000008